(57)【要約】【課題】永久磁石と磁気スイッチングを応用した電力増殖機で少ない電気エネルギーを元に多量の電力を造り安い電気エネルギーを提供する。【解決手段】商用交流電源  又は  直流脈流電源を入力してその電力エネルギーを一旦磁気エネルギーに変換をしその磁気エネルギーに永久磁石の磁気エネルギーを合成してこの合成磁気エネルギーを再び電気エネルギーに変換するものである、よって入力電気エネルギーに対して出力には数倍の電気エネルギーを得るものである。【選択図】          図１
2004274932.tif 000002
【特許請求の範囲】
【請求項１】
角型環状電力増殖機コア１の中央内側部に導磁部１ａと永久磁石２を設け、  両側部に磁気スイッチングコイル３、磁気スイッチングコイル４、起電コイル５、起電コイル６をそれぞれ巻き設した永久磁石と磁気スイッチングを応用した事を特徴とする電力増殖機。
【請求項２】
角型環状電力増殖機コア１ｂの中央内側部に導磁部１ｂａと永久磁石２ｂを設け、  一側方に磁気スイッチングコイル３ｂ、他側方に起電コイル４ｂをそれぞれ巻き設し  且つ  角型環状電力増殖機コア１ｂ中央の起電コイル４ｂ側にエアーギャップ１ｂｂを設けた永久磁石と磁気スイッチングを応用した事を特徴とする電力増殖機。
【請求項３】
横長日文字型電力増殖機コア１ｃ中段のセンターコア部１ｃａに磁気スイッチングコイル３ｃ、起電コイル５ｃ、起電コイル６ｃをそれぞれ巻き設し、横長日文字型電力増殖機コア１ｃの中央とセンターコア部１ｃａの中央を永久磁石２ｃ  及び  永久磁石２ｃｃで連結し  且つ  センターコア部１ｃａ中央の起電コイル６ｃ側にエアーギャップ１ｃｃを設けた永久磁石と磁気スイッチングを応用した事を特徴とする電力増殖機。
【発明の詳細な説明】
【０００１】
【発明が属する技術分野】
本発明は、  商用電源回路  及び  電気自動車等の電源回路において電力エネルギーを効率良く増殖する装置に関するものである。
【０００２】
【従来の技術】
従来の電力増殖装置は電力増殖率が低く改善の余地があった。
【０００３】
【発明が解決しようとする課題】
従来の装置より効率を上げる。
【０００４】
【課題を解決するための手段】
従来の装置より磁力線を効率よく利用する。
【０００５】
【実施例】
本発明は、商用交流電源  又は  直流脈流電源を本装置に入力してその電気エネルギーを一旦磁気エネルギーに変換をし、その磁気エネルギーに永久磁石の磁気エネルギーを合成してこの合成磁気エネルギーを再び電気エネルギーに変換するものである、よって入力電気エネルギーに対して出力には数倍の電気エネルギーを得るものである。
この装置を６段、７段と連結すれば初段入力電力の数百倍の出力電力が得られる電力増殖機である。
【０００６】
本発明請求項第１項を第１図によって説明すると、透磁率の大きい角型環状珪素鋼板を多数重ね合わせ組み上げたものや、角型環状に形成し焼き上げたセラミックス等の角型環状電力増殖機コア１の中央内側部に設けた導磁部１ａに永久磁石２を磁気漏れのないよう完全閉磁路（二つの閉磁路が合体した状態で導磁部１ａと永久磁石２を併用している）とし、その角型環状電力増殖機コア１の両端に磁気スイッチングコイル３、磁気スイッチングコイル４、起電コイル５、起電コイル６をそれぞれ巻き設する。
動作については角型環状電力増殖機コア１の中央に設けた永久磁石２の磁力線は外部から電気エネルギーを加えない電源ＯＦＦ状態で導磁部１ａから角型環状電力増殖機コア１の左右に自己透磁力によって５０％ずつの２分割流回している、（この角型環状電力増殖機コア１のどの部分も永久磁石２の磁束密度２００％以上を流回する容量がある）そこに磁気スイッチングコイル３と磁気スイッチングコイル４に商用交流電源や直流電源をインバーター等で交流化した電流をダイオード等により２分割し交互に印加する。
【０００７】
（永久磁石２と磁気スイッチングコイル３  及び  磁気スイッチングコイル４の磁極を同極となるように電極を合わせて入力する）先ず  印加する交流電源が６０ヘルツであれば２分割した半波、つまり１／２ヘルツ、１／１２０秒の世界から説明をすると、  磁気スイッチングコイル３にこの半波を印加すると磁気スイッチングコイル３の磁極と永久磁石２の磁極が同極なので電源印加直後は磁力線が反発をして（自己透磁力によって角型環状電力増殖機コア１の左右に５０％づつの２分割流回している磁気スイッチングコイル３側の５０％だけを反発する）永久磁石２の磁力線が１００％（もともと自己透磁力によって５０％づつの２分割流回していた起電コイル５側の磁力線と合成されて）起電コイル５側の閉磁路に流回すると同時に磁気スイッチングコイル３の磁力線も永久磁石２の磁力線と並行して起電コイル５内に相乗流回して磁気スイッチングコイル３に印加された半波の電流（１／１２０秒）が途切れて一瞬ではあるが電源ＯＦＦの状態となると永久磁石２の磁力線は外部からの入力エネルギーに関係無く永久磁石の自己透磁力によって角型環状電力増殖機コア１の左右へ５０％づつの２分割流回状態となる。
【０００８】
続いて交流電源を２分割した反対側の半波（２／１２０秒め）が磁気スイッチングコイル４に印加され永久磁石２の磁力線５０％と磁気スイッチングコイル４の磁力線と反発が始まり永久磁石２の磁力線１００％が起電コイル６側の閉磁路に流回すると同時に磁気スイッチングコイル４の磁力線も永久磁石２の磁力線と並行して起電コイル６側に相乗流回すると間もなく磁気スイッチングコイル４に印加した電源も途切れて次のサイクルに続く。
【０００９】
これで１サイクル（１／６０秒）の説明が終わり後はこのサイクルを繰り返すのであるが磁気スイッチングコイル３と磁気スイッチングコイル４に印加した電気エネルギーで永久磁石２の磁力線（磁束密度）の５０％を反発するだけで永久磁石２の磁力線１００％と磁気スイッチングコイル３、及び  磁気スイッチングコイル４の磁力線が合成して起電コイル５と起電コイル６内を交互に並行相乗流回する、つまり永久磁石２の磁力線に磁気スイッチングコイル３と磁気スイッチングコイル４の磁力線が交互に相乗合成されて起電コイル５と起電コイル６内を交互に流回して磁気スイッチングコイル３  及び  磁気スイッチングコイル４に入力した電力エネルギーの数倍の電力エネルギーが起電コイル５  及び  起電コイル６に起電力として発生するものである、この二つの起電コイルに発生した起電力は合成して出力電力とする。
起電コイル５と起電コイル６に発生した起電力を同位相に連結すれば直流電流が得られる  又  逆位相に連結すれば交流電流が得られる。
【００１０】
本発明請求項第２項を第２図について説明をすると、角型環状電力増殖機コア１ｂに設けた導磁部１ｂａ、永久磁石２ｂとその右半分が完全閉磁路となっており電源ＯＦＦの状態で永久磁石２ｂの磁力線はエアーギャップ１ｂｂを介して起電コイル４ｂ側  及び  外部にはほとんど漏れずに閉磁路内を流回するだけである、そこに商用交流電源をダイオード等で２分割をした半波の電流  又は  直流電源を脈流化したものを磁気スイッチングコイル３ｂに印加してやると（この装置は直流脈流電流専用装置なので磁気スイッチングコイル３ｂの磁気極性と永久磁石２ｂの磁気極性を同極になるよう脈流電流の電極を合わせて印加する）閉磁路内を流回している永久磁石２ｂの磁力線と磁気スイッチングコイル３ｂの磁力線と反発が始まると永久磁石２ｂの磁力線は角型環状電力増殖機コア１ｂの左側起電コイル４ｂ内  及び  エアーギャップ１ｂｂを介して磁路を構成し、１００％流回すると同時に磁気スイッチングコイル３ｂの磁力線もその磁路に並行して相乗流回する。
【００１１】
つまり永久磁石２ｂの磁束密度１００％と磁気スイッチングコイル３ｂの磁力線と合成された磁力線が起電コイル４ｂ内を流回するので起電コイル４ｂには磁気スイッチングコイル３ｂに印加した電気エネルギーの数倍の電力エネルギーが出力される。（永久磁石２ｂの磁力線は磁気スイッチングコイル３ｂの磁力線に反発されると角型環状電力増殖機コア１ｂのエアーギャップ１ｂｂを介して起電コイル４ｂ内に磁力線の流れやすい磁路を構成して流回する為、永久磁石２ｂの磁力線を１００％反発する為に磁気スイッチングコイル３ｂに入力する電気エネルギーは永久磁石２ｂの磁束密度の３０％〜４０％で良い）。
【００１２】
本発明請求項第３項を第３図によって説明をすると、横長日文字型珪素鋼板を多数重ね合わせたもの  又は  横長日文字型状に成型し焼きあげたセラミックス等の横長日文字型電力増殖機コア１ｃの右半分と永久磁石２ｃ、センターコア部１ｃａ  及び  永久磁石２ｃｃは外部  及び  エアーギャップ１ｃｃを介して横長日文字型電力増殖機コア１ｃの左側への磁気漏れがほとんど無い完全閉磁路状態を構成（横長日文字型電力増殖機コア１ｃと永久磁石２ｃ  及び  永久磁石２ｃｃはセンターコア部１ｃａを併用した二つの閉磁路を構成している）しており、この横長日文字型電力増殖機コア１ｃ中段のセンターコア部１ｃａに磁気スイッチングコイル３ｃ、起電コイル５ｃ、起電コイル６ｃをそれぞれ巻き設し  又  センターコア部１ｃａ中央の起電コイル６ｃ側にエアーギャップ１ｃｃを設ける。
【００１３】
動作について説明すると先ず外部から電力を印加しない電源ＯＦＦの状態で永久磁石２ｃ  及び  永久磁石２ｃｃの磁力線は横長日文字型電力増殖機コア１ｃの右半分の閉磁路内を流回している、そこへ商用交流電源  又は  直流電源をインバーター等で交流化したものを磁気スイッチングコイル３ｃに印加すると  先ず磁気スイッチングコイル３ｃの電磁石の磁気極性が右側がＮ極となった場合の磁力線に永久磁石２ｃの磁力線が反発をしてＮ極から横長日文字型電力増殖機コア１ｃの左側に流れ、センターコア部１ｃａ（起電コイル６ｃ内部）  及び  エアーギャップ１ｃｃを介して永久磁石２ｃのＳ極へ流回する磁路を構成し永久磁石２ｃの磁力線１００％がこの磁路を流回すると同時に磁気スイッチングコイル３ｃの磁力線も並行してこの磁路を相乗流回し起電コイル６ｃに大起電力が発生する。
【００１４】
又  磁気スイッチングコイル３ｃの磁力線のＮ極（右側）から横長日文字型電力増殖機コア１ｃを通りもう一側方の永久磁石２ｃｃのＳ極へ流回し  且つ  永久磁石２ｃｃのＮ極より磁気スイッチングコイル３ｃ左側のＳ極に流回する、この時磁気スイッチングコイル３ｃの磁力線に永久磁石２ｃｃの磁力線が相乗流回する、つまり磁気スイッチングコイル３ｃの電磁石の磁力線に永久磁石２ｃｃの磁力線が合成されて起電コイル５ｃ内を流回するので起電コイル５ｃにも大起電力が発生する、又  磁気スイッチングコイル３ｃに印加している電源が交流なので電気極性が変わると磁気スイッチングコイル３ｃの左側の磁気極性がＮ極となると永久磁石２ｃｃの磁力線が反発してエアーギャップ１ｃｃ、センターコア部１ｃａ（起電コイル６ｃ内部）、横長日文字型電力増殖機コア１ｃの左側から永久磁石２ｃｃのＳ極に流回する磁路を構成し永久磁石２ｃｃの磁力線１００％がこの磁路を流回すると同時に磁気スイッチングコイル３ｃの磁力線もこの磁路に並行して相乗流回すると起電コイル６ｃに大起電力が発生すると同時に磁気スイッチングコイル３ｃの磁力線Ｎ極（左側）より起電コイル５ｃ内、永久磁石２ｃのＳ極、永久磁石２ｃのＮ極から磁気スイッチングコイル３ｃのＳ極（右側）に流回する。
【００１５】
この時磁気スイッチングコイル３ｃの磁力線に永久磁石２ｃの磁力線が相乗して合成された磁力線が流回するので起電コイル５ｃにも大起電力が発生する、これで交流電源の１ヘルツの説明だったが後はこの行程を繰り返すものである。
この起電コイル５ｃ  及び  起電コイル６ｃに発生した電力は合成して出力電力とする。
又  入力電流の周波数を変える事によって本装置の小型化が可能である。
【００１６】
【発明の効果】
Ａ−少ない電気料金で沢山の電気が使える。
Ｂ−小さな発電所で多くの電気が使える。
Ｃ−小さなバッテリーを使用して大きな電気自動車を走らせながら且つバッテリーの充電もできる永久サイクルが可能である。
Ｄ−送電設備が小型化  及び  コストダウンできる等の多くのメリットがある。
Ｅ−原子力発電所等危険な設備が無くても人類は文化生活が営める。
【００１７】
【図面の簡単な説明】
【図１】本発明請求項第１項の正面図である。
【図２】本発明請求項第２項の正面図である。
【図３】本発明請求項第３項の正面図である。
【００１８】
【符号の説明】
１        角型環状電力増殖機コア
１ａ      導磁部
１ｂ      角型環状電力増殖機コア
１ｂａ    導磁部
１ｂｂ    エアーギャップ
１ｃ      横長日文字型電力増殖機コア
１ｃａ    センターコア部
１ｃｃ    エアーギャップ
２        永久磁石
２ｂ      永久磁石
２ｃ      永久磁石
２ｃｃ    永久磁石
３        磁気スイッチングコイル
３ｂ      磁気スイッチングコイル
３ｃ      磁気スイッチングコイル
４        磁気スイッチングコイル
４ｂ      起電コイル
５        起電コイル
５ｃ      起電コイル
６        起電コイル
６ｃ      起電コイル
Ｎ        永久磁石  及び  磁気スイッチング電磁石の磁気極性
Ｓ        永久磁石  及び  磁気スイッチング電磁石の磁気極性
【図１】
2004274932.tif 000003
【図２】
2004274932.tif 000004
【図３】
2004274932.tif 000005